【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
被写体像を撮像し画像データを得る撮像素子と、
この撮像素子への入射光路を開閉する光路開閉手段と、
シャッタキーと、
このシャッタキーが操作された場合に、前記光路開閉手段を開いた状態で前記撮像素子を第１の露光時間露光させることにより第１の画像データを得る第１の撮影制御手段と、
前記第１の露光時間が所定時間を超えているか否かを判別する判別手段と、
前記シャッタキーが操作され、且つ前記判別手段により前記第１の露光時間が前記所定時間を超えていると判断された場合に、前記光路開閉手段を閉じた状態で前記撮像素子を前記第１の露光時間よりも短い第２の露光時間露光させることにより第２の画像データを得る第２の撮影制御手段と、
この第２の撮影制御手段により得られた第２の画像データを補正する第１の補正手段と、
この第１の補正手段により補正された第２の画像データを用いて前記第１の撮影制御手段により得られた第１の画像データを補正する第２の補正手段と、
を備えたことを特徴とする撮像装置。
【請求項２】
前記シャッタキーが操作され、且つ前記判別手段により前記第１の露光時間が前記所定時間を超えていないと判断された場合に、前記光路開閉手段を閉じた状態で前記撮像素子を前記第１の露光時間露光させることにより第３の画像データを得る第３の撮影制御手段と、
前記第３の撮影制御手段により得られた第３の画像データを用いて前記第１の撮影制御手段により得られた第１の画像データを補正する第３の補正手段と、
を備えたことを特徴とする請求項１記載の撮像装置。
【請求項３】
前記第２の撮影制御手段は、前記シャッタキーが操作され、且つ前記判別手段により前記第１の露光時間が前記所定時間を超えていると判断された場合に、前記光路開閉手段を閉じた状態で前記撮像素子を前記所定時間露光させることにより第２の画像データを得ることを特徴とする請求項１又は２記載の撮像装置。
【請求項４】
露光時間に対応付けて補正値を記憶する補正値記憶手段と、
この補正値記憶手段に記憶されている補正値の中から前記第１の露光時間に対応する補正値を取得する補正値取得手段とを備え、
前記第１の補正手段は、前記補正値取得手段により取得された補正値を用いて前記第２の撮影制御手段により得られた第２の画像データを補正することを特徴とする請求項１乃至３のいずれかに記載の撮像装置。
【請求項５】
被写体の明るさを測定する測定手段を備え、
前記第１の撮影制御手段は、前記光路開閉手段を開いた状態で前記撮像素子を前記測定手段による測定結果に応じた第１の露光時間露光させることにより第１の画像データを得ることを特徴とする請求項１乃至４のいずれかに記載の撮像装置。
【請求項６】
ユーザーの所望する露光時間を設定する設定手段を備え、
前記第１の撮影制御手段は、前記光路開閉手段を開いた状態で前記撮像素子を前記設定手段により設定された第１の露光時間露光させることにより第１の画像データを得ることを特徴とする請求項１乃至４のいずれかに記載の撮像装置。
【請求項７】
前記シャッタキーが操作された場合に、前記第１の撮影制御手段により第１の画像データを取得させた後、前記第２の撮影制御手段により第２の画像データを取得させる第４の撮影制御手段を備えたことを特徴とする請求項１乃至６のいずれかに記載の撮像装置。
【請求項８】
前記第２の撮影制御手段により取得された第２の画像データが所定レベル以上のデータであるか否かを判断する第１の判断手段を更に備え、
前記第２の補正手段は、前記第１の判断手段により前記第２の画像データが所定レベル以上のデータであると判断された場合に前記第１の画像データを補正することを特徴とする請求項１乃至７のいずれかに記載の撮像装置。
【請求項９】
前記第１の判断手段は、前記第２の撮影制御手段により取得された第２の画像データ中の各画素データについて所定レベル以上の画素データであるか否かを判断し、
前記第２の補正手段は、前記第１の判断手段により所定レベル以上と判断された画素データに基づいて、前記第１の画像データ中における対応する画素データの補正を行うことを特徴とする請求項８記載の撮像装置。
【請求項１０】
前記第１の撮影制御手段により取得された第１の画像データのレベルが飽和状態にあるか否かを判断する第２の判断手段を更に備え、
前記第２の補正手段は、前記第２の判断手段により前記第１の画像データのレベルが飽和状態にないと判断された場合に前記第１の画像データを補正することを特徴とする請求項１乃至９のいずれかに記載の撮像装置。
【請求項１１】
前記第２の判断手段は、前記第１の撮影制御手段により取得された第１の画像データ中の各画素データについて飽和状態にあるか否かを判断し、
前記第２の補正手段は、前記第２の判断手段により飽和状態にないと判断された画素データの補正を、前記第２の画像データ中における対応する画素データに基づいて行うことを特徴とする請求項１０記載の撮像装置。
【請求項１２】
前記第２の補正手段により補正された第１の画像データをメモリに記録する記録制御手段を更に備えたことを特徴とする請求項１乃至１１のいずれかに記載の撮像装置。
【請求項１３】
前記第２の補正手段により補正された第１の画像データを圧縮する圧縮手段を備え、
前記記録制御手段は、前記圧縮手段により圧縮された第１の画像データをメモリに記録することを特徴とする請求項１２記載の撮像装置。
【請求項１４】
前記第２の撮影制御手段により得られた第２の画像データを記憶する第１の記憶手段を更に備え、
前記第１の補正手段は、前記第１の記憶手段に記憶されている第２の画像データを補正することを特徴とする請求項１乃至１３のいずれかに記載の撮像装置。
【請求項１５】
前記第１の撮影制御手段により得られた第１の画像データを記憶する第２の記憶手段を更に備え、
前記第２の補正手段は、前記第２の記憶手段に記憶されている第１の画像データを補正することを特徴とする請求項１乃至１４のいずれかに記載の撮像装置。
【請求項１６】
被写体像を撮像し画像データを得る撮像素子およびこの撮像素子への入射光路を開閉する光路開閉手段を備えた撮像装置の信号処理方法において、
シャッタキーが操作された場合に、前記光路開閉手段を開いた状態で前記撮像素子を第１の露光時間露光させることにより第１の画像データを得る第１のステップと、
前記第１の露光時間が所定時間を超えているか否かを判別する第２のステップと、
前記シャッタキーが操作され、且つ前記第１の露光時間が前記所定時間を超えていると判断された場合に、前記光路開閉手段を閉じた状態で前記撮像素子を前記第１の露光時間よりも短い第２の露光時間露光させることにより第２の画像データを得る第３のステップと、
この第３のステップにより得られた第２の画像データを補正する第４のステップと、
この第４のステップにより補正された第２の画像データを用いて前記第１のステップにより得られた第１の画像データを補正する第５のステップと、
を含むことを特徴とする撮像装置の信号処理方法。
【手続補正２】
【補正対象書類名】明細書
【補正対象項目名】０００６
【補正方法】変更
【補正の内容】
【０００６】
請求項１記載の発明は、被写体像を撮像し画像データを得る撮像素子と、この撮像素子への入射光路を開閉する光路開閉手段と、シャッタキーと、このシャッタキーが操作された場合に、前記光路開閉手段を開いた状態で前記撮像素子を第１の露光時間露光させることにより第１の画像データを得る第１の撮影制御手段と、前記第１の露光時間が所定時間を超えているか否かを判別する判別手段と、前記シャッタキーが操作され、且つ前記判別手段により前記第１の露光時間が前記所定時間を超えていると判断された場合に、前記光路開閉手段を閉じた状態で前記撮像素子を前記第１の露光時間よりも短い第２の露光時間露光させることにより第２の画像データを得る第２の撮影制御手段と、この第２の撮影制御手段により得られた第２の画像データを補正する第１の補正手段と、この第１の補正手段により補正された第２の画像データを用いて前記第１の撮影制御手段により得られた第１の画像データを補正する第２の補正手段と、を備えたことを特徴とする。
請求項２記載の発明は、請求項１記載の発明において、前記シャッタキーが操作され、且つ前記判別手段により前記第１の露光時間が前記所定時間を超えていないと判断された場合に、前記光路開閉手段を閉じた状態で前記撮像素子を前記第１の露光時間露光させることにより第３の画像データを得る第３の撮影制御手段と、前記第３の撮影制御手段により得られた第３の画像データを用いて前記第１の撮影制御手段により得られた第１の画像データを補正する第３の補正手段と、を備えたことを特徴とする。
請求項３記載の発明は、請求項１又は２記載の発明において、前記第２の撮影制御手段は、前記シャッタキーが操作され、且つ前記判別手段により前記第１の露光時間が前記所定時間を超えていると判断された場合に、前記光路開閉手段を閉じた状態で前記撮像素子を前記所定時間露光させることにより第２の画像データを得ることを特徴とする。
請求項４記載の発明は、請求項１乃至３のいずれかに記載の発明において、露光時間に対応付けて補正値を記憶する補正値記憶手段と、この補正値記憶手段に記憶されている補正値の中から前記第１の露光時間に対応する補正値を取得する補正値取得手段とを備え、前記第１の補正手段は、前記補正値取得手段により取得された補正値を用いて前記第２の撮影制御手段により得られた第２の画像データを補正することを特徴とする。
【手続補正３】
【補正対象書類名】明細書
【補正対象項目名】０００７
【補正方法】変更
【補正の内容】
【０００７】
請求項５記載の発明は、請求項１乃至４のいずれかに記載の発明において、被写体の明るさを測定する測定手段を備え、前記第１の撮影制御手段は、前記光路開閉手段を開いた状態で前記撮像素子を前記測定手段による測定結果に応じた第１の露光時間露光させることにより第１の画像データを得ることを特徴とする。
請求項６記載の発明は、請求項１乃至４のいずれかに記載の発明において、ユーザーの所望する露光時間を設定する設定手段を備え、前記第１の撮影制御手段は、前記光路開閉手段を開いた状態で前記撮像素子を前記設定手段により設定された第１の露光時間露光させることにより第１の画像データを得ることを特徴とする。
請求項７記載の発明は、請求項１乃至６のいずれかに記載の発明において、前記シャッタキーが操作された場合に、前記第１の撮影制御手段により第１の画像データを取得させた後、前記第２の撮影制御手段により第２の画像データを取得させる第４の撮影制御手段を備えたことを特徴とする。
請求項８記載の発明は、請求項１乃至７のいずれかに記載の発明において、前記第２の撮影制御手段により取得された第２の画像データが所定レベル以上のデータであるか否かを判断する第１の判断手段を更に備え、前記第２の補正手段は、前記第１の判断手段により前記第２の画像データが所定レベル以上のデータであると判断された場合に前記第１の画像データを補正することを特徴とする。
請求項９記載の発明は、請求項８記載の発明において、前記第１の判断手段は、前記第２の撮影制御手段により取得された第２の画像データ中の各画素データについて所定レベル以上の画素データであるか否かを判断し、前記第２の補正手段は、前記第１の判断手段により所定レベル以上と判断された画素データに基づいて、前記第１の画像データ中における対応する画素データの補正を行うことを特徴とする。
請求項１０記載の発明は、請求項１乃至９のいずれかに記載の発明において、前記第１の撮影制御手段により取得された第１の画像データのレベルが飽和状態にあるか否かを判断する第２の判断手段を更に備え、前記第２の補正手段は、前記第２の判断手段により前記第１の画像データのレベルが飽和状態にないと判断された場合に前記第１の画像データを補正することを特徴とする。
請求項１１記載の発明は、請求項１０記載の発明において、前記第２の判断手段は、前記第１の撮影制御手段により取得された第１の画像データ中の各画素データについて飽和状態にあるか否かを判断し、前記第２の補正手段は、前記第２の判断手段により飽和状態にないと判断された画素データの補正を、前記第２の画像データ中における対応する画素データに基づいて行うことを特徴とする。
【手続補正４】
【補正対象書類名】明細書
【補正対象項目名】０００８
【補正方法】変更
【補正の内容】
【０００８】
請求項１２記載の発明は、請求項１乃至１１のいずれかに記載の発明において、前記第２の補正手段により補正された第１の画像データをメモリに記録する記録制御手段を更に備えたことを特徴とする。
請求項１３記載の発明は、請求項１２記載の発明において、前記第２の補正手段により補正された第１の画像データを圧縮する圧縮手段を備え、前記記録制御手段は、前記圧縮手段により圧縮された第１の画像データをメモリに記録することを特徴とする。
請求項１４記載の発明は、請求項１乃至１３のいずれかに記載の発明において、前記第２の撮影制御手段により得られた第２の画像データを記憶する第１の記憶手段を更に備え、前記第１の補正手段は、前記第１の記憶手段に記憶されている第２の画像データを補正することを特徴とする。
請求項１５記載の発明は、請求項１乃至１４のいずれかに記載の発明において、前記第１の撮影制御手段により得られた第１の画像データを記憶する第２の記憶手段を更に備え、前記第２の補正手段は、前記第２の記憶手段に記憶されている第１の画像データを補正することを特徴とする。
請求項１６記載の発明は、被写体像を撮像し画像データを得る撮像素子およびこの撮像素子への入射光路を開閉する光路開閉手段を備えた撮像装置の信号処理方法において、シャッタキーが操作された場合に、前記光路開閉手段を開いた状態で前記撮像素子を第１の露光時間露光させることにより第１の画像データを得る第１のステップと、前記第１の露光時間が所定時間を超えているか否かを判別する第２のステップと、前記シャッタキーが操作され、且つ前記第１の露光時間が前記所定時間を超えていると判断された場合に、前記光路開閉手段を閉じた状態で前記撮像素子を前記第１の露光時間よりも短い第２の露光時間露光させることにより第２の画像データを得る第３のステップと、この第３のステップにより得られた第２の画像データを補正する第４のステップと、この第４のステップにより補正された第２の画像データを用いて前記第１のステップにより得られた第１の画像データを補正する第５のステップと、を含むことを特徴とする。
【手続補正５】
【補正対象書類名】明細書
【補正対象項目名】０００９
【補正方法】変更
【補正の内容】
【０００９】
本発明によれば、長時間露光の撮影に必要な時間を、単純計算で撮影画像（ＤＡＴＡ１）の露光時間（Ｔ１）とダークフレーム画像（ＤＡＴＡ２）の露光時間（Ｔａ）との合計とすることができ、Ｔａ≦Ｔ１であるから、従来技術の所要時間（Ｔ１＋Ｔ１）よりも短くすることができる。